(57)【要約】【課題】電気信号を変更するための操作性を向上させ、変更・停止操作を迅速かつ確実に行うことができる導子及びこれを備える電気刺激装置を提供すること。【解決手段】生体に電気信号を印加する電気刺激装置の装置本体に接続される導子３であって、前記生体に接触させて前記電気信号を印加するための電極部２５と、前記電極部２５を支持する導子本体部１０，１１と、前記電気信号の大きさ又は種類を変更するための電気信号変更操作部２０と、前記電気信号の出力を停止する出力停止操作部２１とを備えており、前記電気信号変更操作部２０と前記出力停止操作部２１とが、前記導子本体部１０，１１に設けられていることを特徴とする。【選択図】図２
2008284204.tif 000002
【特許請求の範囲】
【請求項１】
生体に電気信号を印加する電気刺激装置の装置本体に接続される導子であって、
前記生体に接触させて前記電気信号を印加するための電極部と、
前記電極部を支持する導子本体部と、
前記電気信号の大きさ又は種類を変更するための電気信号変更操作部と、
前記電気信号の出力を停止する出力停止操作部とを備えており、
前記電気信号変更操作部と前記出力停止操作部とが、前記導子本体部に設けられていることを特徴とする導子。
【請求項２】
前記電気信号変更操作部と前記出力停止操作部とが、前記導子本体部に沿って直線状に近接して配列されていることを特徴とする請求項１に記載の導子。
【請求項３】
前記電気信号変更操作部が、前記配列の方向に変動することを特徴とする請求項２に記載の導子。
【請求項４】
前記電気信号変更操作部が、前記電気信号の少なくとも大きさを変更するものであって、前記電気信号を増大させる指示を出力する増大位置と、前記電気信号を減少させる指示を出力する減少位置との間で前記配列の方向に変動することを特徴とする請求項２に記載の導子。
【請求項５】
前記出力停止操作部が、前記増大位置の側に配列されていることを特徴とする請求項４に記載の導子。
【請求項６】
前記電気信号変更操作部が、前記増大位置、前記減少位置及び中立位置に切り替え可能な切り替えスイッチであり、
前記出力停止操作部が、オンとオフとに切り替え可能なオンオフスイッチであって、
前記増大位置の端子と前記減少位置の端子とが、それぞれ電源に接続されるとともに、電流の逆流を防止する逆流防止手段を介して前記オンオフスイッチの一方の端子に並列に接続され、
前記中立位置の端子が、グランドに接続されるとともに、前記オンオフスイッチの他方の端子に並列に接続されていることを特徴とする請求項４又は請求項５に記載の導子。
【請求項７】
前記導子本体部が、マウス型に形成されていることを特徴とする請求項１から請求項６のいずれか一項に記載の導子。
【請求項８】
請求項１から請求項７のいずれか一項に記載の導子と、
前記装置本体とを備えることを特徴とする電気刺激装置。
【請求項９】
前記装置本体が、前記電気信号の大きさ又は種類を表示する表示部を備え、
前記表示部が、前記電気信号操作部によって変更される前記電気信号の大きさ又は種類を順次表示することを特徴とする請求項８に記載の電気刺激装置。
【発明の詳細な説明】
【技術分野】
【０００１】
本発明は、導子及びこれを備える電気刺激装置に関する。
【背景技術】
【０００２】
従来より、電気信号を生体に印加することにより、治療、美容、トレーニングなどの処置を行う電気刺激装置が利用されている（例えば、特許文献１参照。）。
これら電気刺激装置は、各種操作を行うための操作部が設けられた装置本体と、この装置本体に接続される導子とを備えるのが一般的である。そして、装置本体に設けられた操作部を操作して、導子を把持しながら、導子に設けられた電極部を皮膚に当接させる。これによって、皮膚に電気信号が印加される。
【特許文献１】特開平７−１１６２６７号公報
【発明の開示】
【発明が解決しようとする課題】
【０００３】
しかしながら、上記のような構成では、電気信号を皮膚に印加しているときに、電気信号の大きさや種類を変更する場合、電極部を一旦皮膚から離して操作部を操作するか、一方の手で導子を把持しながら他方の手で操作部を操作する必要があり、変更操作が煩わしいという問題がある。そのため、一時的に電気刺激を停止したい場合に、電気信号の出力を停止する操作を行うまでの反応も遅くなってしまう。
【０００４】
本発明は、このような事情に鑑みてなされたものであって、電気信号を変更するための操作性を向上させ、変更・停止操作を迅速かつ確実に行うことができる導子及びこれを備える電気刺激装置を提供することを目的とする。
【課題を解決するための手段】
【０００５】
上記課題を解決するために、本発明は以下の手段を提供する。
本発明は、生体に電気信号を印加する電気刺激装置の装置本体に接続される導子であって、前記生体に接触させて前記電気信号を印加するための電極部と、前記電極部を支持する導子本体部と、前記電気信号の大きさ又は種類を変更するための電気信号変更操作部と、前記電気信号の出力を停止する出力停止操作部とを備えており、前記電気信号変更操作部と前記出力停止操作部とが、前記導子本体部に設けられていることを特徴とする。
【０００６】
この発明によれば、一方の手で導子本体部を把持した状態で、電気信号変更操作部及び出力停止操作部を、把持している一方の手で操作することができる。
【０００７】
また、本発明は、前記電気信号変更操作部と前記出力停止操作部とが、前記導子本体部に沿って直線状に近接して配列されていることを特徴とする。
【０００８】
この発明によれば、各操作部の操作性を向上させることができる。
【０００９】
また、本発明は、前記電気信号変更操作部が、前記配列の方向に変動することを特徴とする。
【００１０】
この発明によれば、各操作部の操作性を向上させることができる。
なお、「配列の方向に変動」とは、配列の方向に平行に変位するものだけでなく、配列の方向の中心部を回転中心として配列の方向に回転するものも含むものである。
【００１１】
また、本発明は、前記電気信号変更操作部が、前記電気信号の少なくとも大きさを変更するものであって、前記電気信号を増大させる指示を出力する増大位置と、前記電気信号を減少させる指示を出力する減少位置との間で前記配列の方向に変動することを特徴とする。
【００１２】
この発明によれば、各操作部の操作性を向上させることができる。
【００１３】
また、本発明は、前記出力停止操作部が、前記増大位置の側に配列されていることを特徴とする。
【００１４】
この発明によれば、増大位置から出力停止操作部を迅速に操作することができる。
【００１５】
また、本発明は、前記電気信号変更操作部が、前記増大位置、前記減少位置及び中立位置に切り替え可能な切り替えスイッチであり、前記出力停止操作部が、オンとオフとに切り替え可能なオンオフスイッチであって、前記増大位置の端子と前記減少位置の端子とが、それぞれ電源に接続されるとともに、電流の逆流を防止する逆流防止手段を介して前記オンオフスイッチの一方の端子に並列に接続され、前記中立位置の端子が、グランドに接続されるとともに、前記オンオフスイッチの他方の端子に並列に接続されていることを特徴とする。
【００１６】
この発明によれば、接続ケーブルを減らすことができ、ケーブル全体の径を小さくすることができ、導子本体部を動かし易くすることができる。
【００１７】
また、本発明は、前記導子本体部が、マウス型に形成されていることを特徴とする。
【００１８】
この発明によれば、導子本体部を把持し易くすることができるだけでなく、デザイン性を向上させることができる。
これにより、
【００１９】
また、本発明は、請求項１から請求項７のいずれか一項に記載の導子と、前記装置本体とを備えることを特徴とする。
【００２０】
この発明によれば、請求項１から請求項７のいずれか一項に記載の導子と同様の効果を奏することができる。
【００２１】
また、本発明は、前記装置本体が、前記電気信号の大きさ又は種類を表示する表示部を備え、前記表示部が、前記電気信号操作部によって変更される前記電気信号の大きさ又は種類を順次表示することを特徴とする。
【００２２】
この発明によれば、視覚的に操作を容易にさせることができる。
これにより、
【発明の効果】
【００２３】
本発明によれば、一方の手で導子本体部を把持した状態で、電気信号変更操作部と出力停止操作部とを、把持している一方の手で操作することができることから、電気信号を変更するための操作性を向上させ、変更・停止操作を迅速かつ確実に行うことができる。
【発明を実施するための最良の形態】
【００２４】
（実施形態１）
以下、本発明の実施形態における電気刺激装置について、図面を参照して説明する。
まず、電気刺激装置の外観的構成について説明する。
図１は、本発明の実施形態としての電気刺激装置を示したものである。
電気刺激装置１は、直方体形状の装置本体部２と、ケーブル５を介して装置本体部２に着脱可能に接続される導子３とを備えている。
装置本体部２の天面には、その長手方向Ｗの中央に、各種情報を表示する表示部６が設けられている。表示部６は、ＬＣＤディスプレイである。
表示部６の近傍には、各種操作を行うための操作ボタン７が設けられている。
【００２５】
導子３は、図２及び図３に示すように、使用者に把持される把持部（導子本体部）９を備えている。
把持部９は、マウス型に形成された把持本体部１０と、柱状に延びる操作本体部１１とを備えている。
ここで、「マウス型」とは、平坦な底面を有し、その底面上に、ドーム状（半球状）になだらかに盛り上げられたドーム部が設けられている構成を言うものである。
すなわち、把持本体部１０は、平坦な底面部１４を備えており、この底面部１４に、ドーム部１５が設けられて構成されている。
【００２６】
把持本体部１０には、操作本体部１１が一体的に連結されている。操作本体部１１の先端面には、孔部２２が形成されている。孔部２２の断面形状は、歯車状に形成されている。そして、この孔部２２には、金属からなる電極部２５が着脱可能に取り付けられている。
電極部２５は、柱状部２６と、この柱状部２６の先端に設けられた円板部２８とを備えている。柱状部２６の先端部は、９０度に屈曲した屈曲部２７となっており、この屈曲部２７の先端に、円板部２８が設けられている。
また、柱状部２６の基端部には、歯車状の嵌合部材３１が設けられている。
そして、柱状部２６の後端を孔部２２に挿入していくと、嵌合部材３１が孔部２２に嵌合されるようになっている。なお、嵌合部材３１及び孔部２２の断面形状は歯車状に形成されていることから、柱状部２６の軸線を回転中心として円板部２８の取り付け回転角を容易に調整することができるようになっている。
【００２７】
また、操作本体部１１の上面には、人差し指などで回転させるホイール部１６と、電圧変更ボタン（電気信号変更操作部）２０と、停止ボタン（出力停止操作部）２１とが設けられている。
ホイール部１６は、回転することにより、装置本体部２の表示部６に表示される選択表示を変更するための選択指示信号を出力する。
停止ボタン２１は、人差し指などで押下することにより、電気信号の出力を停止させるための停止信号を出力する。また、停止ボタン２１は、オンかオフかの択一的なオンオフスイッチである。すなわち、停止ボタン２１がオンされると、停止信号を出力する。
【００２８】
また、電圧変更ボタン２０は、人差し指などで押下されることにより、生体に印加する電圧の電圧値を変更するための電圧変更指示信号を出力する。なお、電圧値が変更されることにより、電気信号の大きさが変更されるようになっている。
また、電圧変更ボタン２０は、操作本体部１１の先端側のみと後端側のみとが択一的に押下されるようになっている。すなわち、電圧変更ボタン２０は、操作本体部１１の長手方向Ｓに変動するようになっている。具体的には、電圧変更ボタン２０を先端側のみ押下すると、図４に示すように、電圧変更ボタン２０の先端側のみが操作本体部１１内に没する位置に配されて、電圧変更ボタン２０がオンされるようになっている。この位置を増大位置Ｕというものとする。そして、電圧変更ボタン２０を増大位置Ｕに配してオンすると、電圧値を増大させるための電圧増大指示信号が電圧変更ボタン２０から出力される。
一方、電圧変更ボタン２０を後端側のみ押下すると、図５に示すように、電圧変更ボタン２０の後端側のみが操作本体部１１内に没する位置に配されて、電圧変更ボタン２０がオンされるようになっている。この位置を減少位置Ｄというものとする。そして、電圧変更ボタン２０を減少位置Ｄに配してオンすると、電圧値を減少させるための電圧減少指示信号が電圧変更ボタン２０から出力される。
なお、電圧変更ボタン２０は、押下されずに外力が加えられていない自然状態においては、図３に示すように、不図示の付勢部材によって、増大位置Ｕ及び減少位置Ｄのいずれにも配されていない中立の位置に配されるようになっている。この位置を中立位置Ｎというものとする。電圧変更ボタン２０が中立位置Ｎに配されているときには、電圧変更ボタン２０はオフとされ、指示信号は出力されない。
【００２９】
また、ホイール部１６、電圧変更ボタン２０及び停止ボタン２１は、操作本体部１１に沿って、長手方向Ｓに直線状に配列されている。すなわち、長手方向Ｓとは、電圧変更ボタン２０及び停止ボタン２１の配列方向をいうものである。
さらに、ホイール部１６、電圧変更ボタン２０及び停止ボタン２１は、互いに近接して配置されている。さらに、停止ボタン２１は、電圧変更ボタン２０の近接領域のうち、増大位置Ｕの側に配置されている。
【００３０】
次いで、電気刺激装置１を機能ごとに説明する。
図６は、電気刺激装置１を機能ごとに示すブロック図である。
装置本体部２には、全体を制御する制御部３３が設けられている。制御部３３は、表示部６に電気的に接続されている。また、制御部３３は、電気信号を発生させる電気信号発生部３６に接続されている。電気信号発生部３６は、発生させた電気信号を、ケーブル５を介して電極部２５に出力する。
一方、導子３には、操作部３５が設けられている。この操作部３５は、ホイール部１６、電圧変更ボタン２０及び停止ボタン２１に相当するものである。操作部３５は、ケーブル５を介して、制御部３３に接続されている。
このような構成のもと、制御部３３は、操作部３５からの指示信号を読み出し、表示部６に所定の表示をしたり、電気信号発生部３６に変更指示信号を入力する。
【００３１】
次いで、電気刺激装置１の回路構成について説明する。
図７は、電気刺激装置１の回路構成の一部を示す回路図である。
装置本体部２には、電源を供給する電源部５２が設けられている。
また、導子３側の電圧変更ボタン２０は、中立位置Ｎに設けられた中立端子２０Ｎと、増大位置Ｕに設けられた増大端子２０Ｕと、減少位置Ｄに設けられた減少端子２０Ｄとを備えている。そして、電圧変更ボタン２０を増大位置Ｕに配すると、中立端子２０Ｎと増大端子２０Ｕとが導通し、減少位置Ｄに配すると、中立端子２０Ｎと増大端子２０Ｕとが導通し、中立位置Ｎに配すると、中立端子２０Ｎがオープンとなる。
【００３２】
増大端子２０Ｕは、プルアップ抵抗５０を介して電源部５２に接続されている。また、増大端子２０Ｕは、制御部３３に接続されている。さらに、増大端子２０Ｕは、ダイオード（逆流防止手段）４５を介して、停止ボタン２１の一方の端子２１ａに接続されている。ダイオード４５のアノードは増大端子２０Ｕに接続され、カソードは一方の端子２１ａに接続されている。すなわち、ダイオード４５によって、一方の端子２１ａから増大端子２０Ｕに向けて電流が逆流することが防止される。
なお、電源部５２、制御部３３及び一方の端子２１ａは、増大端子２０Ｕにそれぞれ並列接続されている。
【００３３】
減少端子２０Ｄは、プルアップ抵抗５１を介して電源部５２に接続されている。また、減少端子２０Ｄは、制御部３３に接続されている。さらに、減少端子２０Ｄは、ダイオード（逆流防止手段）４６を介して、一方の端子２１ａに接続されている。ダイオード４６のアノードは減少端子２０Ｄに接続され、カソードは一方の端子２１ａに接続されている。すなわち、ダイオード４６によって、一方の端子２１ａから減少端子２０Ｄに向けて電流が逆流することが防止される。
なお、電源部５２、制御部３３及び一方の端子２１ａは、減少端子２０Ｄにそれぞれ並列接続されている。
【００３４】
さらに、中立端子２０Ｎは、グランドＧに接続されている。また、中立端子２０Ｎは、制御部３３に接続されている。さらに、中立端子２０Ｎは、停止ボタン２１の他方の端子２１ｂに接続されている。
なお、電源部５２、制御部３３及び他方の端子２１ｂは、減少端子２０Ｄにそれぞれ並列接続されている。
【００３５】
次に、このように構成された本実施形態における電気刺激装置１の作用について説明する。
使用者は、一方の手で把持本体部１０を把持した状態で、他方の手で装置本体部２の操作ボタン７を操作する。すると、制御部３３は、電気信号発生部３６を介して、電極部２５に所定の電圧を印加する。
この状態で、電極部２５を患部に当接させると、電極部２５を介して患部に電圧が印加される。このとき、表示部６に、電圧値、周波数、モードなどが表示される。
これにより、患部に対して、治療、美容、トレーニングなどの処置が行われる。
【００３６】
ここで、印加される電圧が高いと感じた場合や低いと感じた場合には、電圧値を変更することにより、各使用者に適応した適切な電圧を印加することができる。
以下、電圧値の変更操作について説明する。
電圧が低いと感じた場合には、表示部６に表示されたメニューから設定に関する選択肢を選択する。
【００３７】
図１０は、表示部６に表示されたメニューを示すものである。
使用者は、把持した一方の手の人差し指などで、ホイール部１６（図６に示す操作部３５）を回転させる。すると、ホイール部１６は、選択指示信号を出力する。制御部３３は、ホイール部１６からの選択指示信号を読み出し、ホイール部１６の回転変位量に対応する分のカーソルを移動させる。使用者は、その表示を見ながら、「１、設定」の選択肢にカーソルを合わせて、ホイール部１６を押下（クリック）する。これにより、ホイール部１６から、決定信号が出力され、制御部３３は、図１１に示すように、設定に関する選択肢を表示部６に表示する。
【００３８】
さらに、使用者は、ホイール部１６を操作して、電圧値を変更するための選択肢である「３、電圧」を、上記と同様に選択、決定する。
これにより、制御部３３が、図１２に示すように、出力電圧のグラフを表示する。
この状態で、使用者は、図８に示すように、一方の手の人差し指などで、電圧変更ボタン２０（図６に示す操作部３５）を操作する。すなわち、電圧変更ボタン２０の先端側のみを押下し、電圧変更ボタン２０を増大位置Ｕに配する。すると、電圧変更ボタン２０は、電圧増大指示信号を出力する。制御部３３は、電圧変更ボタン２０からの電圧増大信号を読み出し、電気信号発生部３６を介して、増大させた電圧を電極部２５に印加する。すなわち、電圧変更ボタン２０が押下され続けると、制御部３３は、電圧変更ボタン２０から読み出した増大指示信号の入力時間に応じて、増大信号を電気信号発生部３６に対して出力し、電気信号発生部３６は、入力された増大信号に基づいて、発生させる電圧値を大きくしていき、その大きくした電圧を電極部２５に対して順次出力する。
【００３９】
また、制御部３３は、電圧変更ボタン２０から読み出した増大指示信号の入力時間に応じて、図１３から図１５に示すように、電圧値が増大している様子を表すように、表示部６のグラフ表示（例えば、色など）を変化させる。
この状態から、電圧を弱めたい場合には、図９に示すように、電圧変更ボタン２０を減少位置Ｄに配する。すると、電圧変更ボタン２０が電圧減少指示信号を出力し、制御部３３が、上記と反対に、電圧値を弱めた電圧を電気信号発生部３６を介して電極部２５に印加するとともに、表示部６のグラフ表示を順次変更する。
このようにして、使用者は、適切な電圧値を設定することができる。
【００４０】
また、使用者が電圧を増大させる操作を行っているときに、刺激が強くなりすぎてしまい電圧を急に弱めたいときには、以下のようにして操作する。
使用者は、図８に示すように、電圧変更ボタン２０の先端側を押下し続けて、電圧変更ボタン２０を増大位置Ｕに配した状態で、急停止したいときには、電圧変更ボタン２０を押下している人差し指を延ばして、停止ボタン２１の上面に指先を移動させる。そして、停止ボタン２１（図６に示す操作部３５）を押下する。すると、停止ボタン２１は停止信号を出力する。そして、制御部３３は、停止ボタン２１の出力を読み出し、電圧の発生を停止させる。すなわち、制御部３３は、電気信号発生部３６に対して停止信号を出力し、電気信号発生部３６は、電極部２５に対する電圧の出力を停止する。
これにより、使用者は、電圧変更ボタン２０を操作している指で、直ちに電圧の出力を停止することができる。
【００４１】
なお、電圧変更ボタン２０及び停止ボタン２１は、以下のようにして、制御部３３に対して信号をオンオフする。
図１６は、電圧変更ボタン２０及び停止ボタン２１の状態と出力信号との対応を示す表である。図１６における丸数字１は、増大端子２０Ｕの制御部３３に対する出力を示し、丸数字２は、減少端子２０Ｄの制御部３３に対する出力を示すものであり、図７で示した丸数字と対応するものである。
【００４２】
まず、電圧変更ボタン２０が中立位置Ｎに配され、停止ボタン２１がオフの場合には、増大端子２０Ｕ及び減少端子２０Ｄは、電源部５２によって、それぞれハイレベル（Ｈ）の信号を制御部３３に入力する。
そして、電圧変更ボタン２０が増大位置Ｕに配されると、増大端子２０Ｕと中立端子２０Ｎとが導通し、電源部５２が、プルアップ抵抗５０、増大端子２０Ｕ及び中立端子２０Ｎを介して、グランドＧに接続される。このとき、ダイオード４６により、電流の逆流が防止されるため、減少端子２０Ｄは、ハイレベルで保持される。
そのため、増大端子２０Ｕは、ローレベル（Ｌ）の信号を制御部３３に入力し、減少端子２０Ｄは、ハイレベルの信号を入力する。これにより、制御部３３は、上述のように、印加する電圧を増大させる。
【００４３】
また、電圧変更ボタン２０が減少位置Ｄに配されると、減少端子２０Ｄと中立端子２０Ｎとが導通し、電源部５２が、プルアップ抵抗５１、減少端子２０Ｄ及び中立端子２０Ｎを介して、グランドＧに接続される。
このとき、ダイオード４５により、電流の逆流が防止されるため、増大端子２０Ｕは、ハイレベルで保持される。
そのため、減少端子２０Ｄは、ローレベルの信号を制御部３３に入力し、増大端子２０Ｕは、ハイレベルの信号を入力する。これにより、制御部３３は、上述のように、印加する電圧を減少させる。
【００４４】
また、電圧変更ボタン２０が中立位置Ｎに配された状態で、停止ボタン２１がオンされると、電源部５２が、プルアップ抵抗５０，５１、ダイオード４５，４６、一方の端子２１ａ、及び、他方の端子２１ｂを介して、グランドＧに接続される。
そのため、増大端子２０Ｕ及び減少端子２０Ｄは、それぞれローレベルの信号を制御部３３に入力する。これにより、制御部３３は、上述のように、印加する電圧を停止させる。
【００４５】
また、電圧変更ボタン２０が増大位置Ｕ（又は減少位置Ｄ）に配された状態で、停止ボタン２１がオンされると、電源部５２が、上述のようにグランドＧに接続される。
そのため、増大端子２０Ｕ及び減少端子２０Ｄは、それぞれローレベルの信号を制御部３３に入力する。これにより、制御部３３は、上述のように、印加する電圧を停止させる。
【００４６】
以上より、本実施形態における電気刺激装置１によれば、一方の手で把持本体部１０を把持した状態で、ホイール部１６、電圧変更ボタン２０及び停止ボタン２１などの各種操作部を、把持している一方の手で操作することができることから、電気信号を変更するための操作性を向上させ、変更・停止操作を迅速かつ確実に行うことができる。
また、ホイール部１６、電圧変更ボタン２０及び停止ボタン２１などの各種操作部が、長手方向Ｓに沿って直線状に近接して配列されていることから、指の伸張及び屈曲の動作だけで、各操作部に指を容易に到達させることができ、操作性を向上させることができる。
さらに、電圧変更ボタン２０が、長手方向Ｓに変動することから、指の伸張及び屈曲の動作だけで、電圧変更ボタン２０を容易に操作することができる。
【００４７】
また、電圧変更ボタン２０を増大位置Ｕ又は減少位置Ｄに配するだけで、容易に電圧値の変更を指示することができ、操作性をさらに向上させることができる。
また、停止ボタン２１が電圧変更ボタン２０の増大位置Ｕ側に近接して配列されていることから、電圧変更ボタン２０を増大位置Ｕに配した状態で、指先を延ばすだけで直ちに停止ボタン２１をオンすることができる。
また、把持本体部１０がマウス型に形成されていることから、把持本体部１０を把持し易くすることができるだけでなく、デザイン性を向上させることができる。
【００４８】
さらに、ダイオード４５，４６によって、電流の逆流を適宜防止することができることから、電圧変更ボタン２０及び停止ボタン２１のオンオフ動作を、ケーブル５本という少ない本数で実現することができる。そのため、ケーブルの径を細くすることができ、導子３を動かし易くすることができる。なお、通常は、増大端子、減少端子、停止ボタンの一方の端子、及び、他方の端子に接続された４本のケーブルが必要となってしまう。
また、電圧の増減に合わせて、表示部６に順次グラフ表示することができることから、視覚的にも操作性を向上させることができる。
【００４９】
なお、本実施形態においては、電圧値の変更の場合のみを示したが、周波数の高低の変更も上記と同様にして行うことができることは言うまでもない。
また、例えば、波形などのように、印加する電気信号の種類を変更することができるようにしてもよい。
また、電圧変更ボタン２０の構成や動作も適宜変更可能である。例えば、図１７及び図１８に示すように、操作レバー（電気信号変更操作部）５４を設けてもよい。操作レバー５４は、その基端部を中心として、回転可能に設けられている。そして、長手方向Ｓに往復動するようになっている。
また、例えば、電圧変更ボタン２０に代えて、長手方向Ｓに沿って平行移動する往復動可能な切り替えスイッチを設けてもよい。
また、電極部２５の設置数は適宜変更可能であり、２個以上設けてもよい。
なお、本発明の技術範囲は上記の実施形態に限定されるものではなく、本発明の趣旨を逸脱しない範囲において、種々の変更を加えることが可能である。
【図面の簡単な説明】
【００５０】
【図１】本発明に係る電気刺激装置の実施形態を示す全体構成図である。
【図２】図１の導子を拡大して示す斜視図である。
【図３】図１の導子を側面から示した図であって、電圧変更ボタンが中立位置に配された様子を示す側面図である。
【図４】図３の電圧変更ボタンが増大位置に配された様子を示す側面図である。
【図５】図３の電圧変更ボタンが減少位置に配された様子を示す側面図である。
【図６】図１の電気刺激装置を機能ごとに示すブロック図である。
【図７】電気刺激装置の回路構成の一部を示す回路図である。
【図８】図１の導子を把持した様子を示す図であって、電圧変更ボタンを増大位置に配している状態を示す説明図である。
【図９】図１の導子を把持した様子を示す図であって、電圧変更ボタンを減少位置に配している状態を示す説明図である。
【図１０】表示部に表示されるメニューを示す説明図である。
【図１１】図１０の「１、設定」を選択したときの画面を示す説明図である。
【図１２】図１１の「１、周波数」を選択したときの画面を示す説明図である。
【図１３】図１２のグラフにおいて、電圧値が増大した様子を示す説明図である。
【図１４】図１３のグラフにおいて、電圧値がさらに増大した様子を示す説明図である。
【図１５】図１４のグラフにおいて、電圧値がさらに増大した様子を示す説明図である。
【図１６】電圧変更ボタン及び停止ボタンの状態と出力信号との対応を示す表である。
【図１７】図１の電圧変更ボタンの変形例を示す正面図である。
【図１８】図１７の電圧変更ボタンを示す側面図である。
【符号の説明】
【００５１】
１    電気刺激装置
２    装置本体部
３    導子
６    表示部
９    把持部（導子本体部）
２０  電圧変更ボタン（電気信号変更操作部）
２１  停止ボタン（出力停止操作部）
２５  電極部
４５，４６  ダイオード（逆流防止手段）
５２  電源部（電源）
５４  操作レバー（電気信号変更操作部）
Ｄ    減少位置
Ｇ    グランド
Ｎ    中立位置
Ｕ    増大位置
【図１】
2008284204.tif 000003
【図２】
2008284204.tif 000004
【図３】
2008284204.tif 000005
【図４】
2008284204.tif 000006
【図５】
2008284204.tif 000007
【図６】
2008284204.tif 000008
【図７】
2008284204.tif 000009
【図８】
2008284204.tif 000010
【図９】
2008284204.tif 000011
【図１０】
2008284204.tif 000012
【図１１】
2008284204.tif 000013
【図１２】
2008284204.tif 000014
【図１３】
2008284204.tif 000015
【図１４】
2008284204.tif 000016
【図１５】
2008284204.tif 000017
【図１６】
2008284204.tif 000018
【図１７】
2008284204.tif 000019
【図１８】
2008284204.tif 000020